(57)【特許請求の範囲】
【請求項１】
センタ側光回線終端装置から入力した下り信号を終端処理して外部ノードに出力するとともに、前記外部ノードから入力した上り信号を終端処理して前記センタ側光回線終端装置に出力する加入者宅側光回線終端装置であって、
前記センタ側光回線終端装置に接続されて光電気変換及び逆光電気変換を行う電気／光変換部と、
前記電気／光変換部に接続されて前記終端処理を行う光回線終端装置機能部と、
前記光回線終端装置機能部に接続されてシリアル・パラレル変換及び逆シリアル・パラレル変換を行うシリアル／パラレル変換部と、
前記シリアル／パラレル変換部に接続されて前記外部ノードとの接続端を有するインタフェースモジュールと、
前記インタフェースモジュールから前記シリアル／パラレル変換部に入力される前記上り信号を入力して該上り信号が所定の正常信号条件を満たしているか否かを判定する上り信号判定手段と、を備え、
前記光回線終端装置機能部は、前記上り信号判定手段から前記正常信号条件の判定結果を入力して前記上り信号に多重化する多重化手段を有し、
前記電気／光変換部は、前記多重化手段で前記判定結果が多重化された前記上り信号を光信号に変換して前記センタ側光回線終端装置に送信する
ことを特徴とする加入者宅側光回線終端装置。
【請求項２】
前記上り信号判定手段は、前記シリアル／パラレル変換部または前記光回線終端装置機能部に設けられている
ことを特徴とする請求項１に記載の加入者宅側光回線終端装置。
【請求項３】
前記上り信号判定手段は、前記上り信号の電圧が所定の閾値以上のときに前記正常信号条件を満たすと判定し、それ以外を満たしていないと判定する
ことを特徴とする請求項１または２に記載の加入者宅側光回線終端装置。
【請求項４】
前記上り信号判定手段は、前記上り信号に含まれる制御信号のビットパターンが所定の符号化則に一致するときに前記正常信号条件を満たすと判定し、それ以外を満たしていないと判定する
ことを特徴とする請求項１または２に記載の加入者宅側光回線終端装置。
【請求項５】
前記上り信号判定手段は、前記制御信号が一定の周期のパルス信号からなる所定のビットパターンに一致するとき前記パルス信号間を埋めるように一定の連続信号に変換し、前記連続信号が所定の符号化則に一致するか否かを判定する
ことを特徴とする請求項４に記載の加入者宅側光回線終端装置。
【請求項６】
前記上り信号判定手段は、前記上り信号のクロックが所定の速度に一致するときに前記正常信号条件を満たすと判定し、それ以外を満たしていないと判定する
ことを特徴とする請求項１または２に記載の加入者宅側光回線終端装置。
【請求項７】
前記上り信号判定手段は、前記センタとの間でＰＯＮリンクあるいは認証のいずれかが確立したことを前記光回線終端装置機能部で判定された後に実行される
ことを特徴とする請求項１または２に記載の加入者宅側光回線終端装置。
【請求項８】
請求項１乃至７のいずれか１項に記載の加入者宅側光回線終端装置と、
１つの合波端と２以上の分波端を有して前記加入者宅側光回線終端装置を光ファイバを介して前記分波端に接続する光カプラと、
前記光カプラの合波端に別の光ファイバを介して接続されるセンタ側光回線終端装置と、を備える
ことを特徴とする光伝送システム。
【請求項９】
前記センタ側光回線終端装置は、前記加入者宅側光回線終端装置に対し前記上り信号判定手段の実行を要求する外部ノード診断手段を有している
ことを特徴とする請求項８に記載の光伝送システム。
【発明の詳細な説明】
【技術分野】
【０００１】
本発明は、加入者宅に設置される光回線終端装置及びこれをセンタ側の光回線終端装置とＰＯＮ型の光伝送路で接続した光伝送システムに関する。
【背景技術】
【０００２】
ＦＴＴＨ、ＣＡＴＶ等の光ネットワークでは、下記の特許文献１に記載されているように、センタに接続される光伝送路を受動型スプリッタにより分岐して複数の加入者宅まで光伝送路を敷設するＰＯＮ(Passive Optical Network)型の光伝送システムが使用されている。このような光伝送システムは、ＰＤＳ(Passive Double Star)とも呼ばれる。
【０００３】
ＰＯＮ型の光伝送システムでは、図８に示すように、センタの光回線終端装置（ＯＬＴ：Optical Line Termination）が光ファイバ９０２を介してスプリッタ９０３の合波端に接続され、スプリッタ９０３の複数の分波端には光ファイバ９０４−１、…９０４−ｎを介して各加入者宅に設置された光回線終端装置（ＯＮＵ：Optical Network Unit）９０５−１、…９０５−ｎが接続される。
【０００４】
ＯＮＵ９０５−１、…９０５−ｎの構成を図９に示す。同図は、一例としてＯＮＵ９０５−１の構成を示しており、ＯＮＵ９０５−１は、光トランシーバ部９０６、ＯＮＵ機能部９０７、及びイーサネット（登録商標）インタフェース９０８を備える構成となっている。スプリッタ９０３に接続された光ファイバ９０４−１が、各加入者宅に設けられた光成端ユニット９０９を介して光トランシーバ部９０６に接続されている。
【０００５】
イーサネット（登録商標）インタフェース９０８として、１０／１００／１０００ＢＡＳＥ−ＴＸ等を用いることができ、これに例えばＬＡＮケーブル９１０が接続される。ＬＡＮケーブル９１０には、コンピュータやプリンタ等の端末機器９１４を直接接続することができ、またルータ９１２やスイッチングハブ９１３等のスイッチを接続し、これに別の端末機器９１４を接続することもできる。
【０００６】
加入者宅側のＯＮＵに接続された端末機器やスイッチ等（以下では外部ノードという）が通信可能となるためには、センタ側のＯＬＴと加入者側のＯＮＵとの間で所定の通信条件が成立していることが必要である。ＯＬＴとＯＮＵとの間で所定の通信条件が成立していることが確認されると、このＯＮＵに接続された端末機器等がＯＮＵを介してセンタ側のＯＬＴと通信可能状態となる。
【特許文献１】特開平９−２１４５４１号公報
【発明の開示】
【発明が解決しようとする課題】
【０００７】
加入者宅側のＯＮＵがセンタ側のＯＬＴとの間で通信条件が確立し、ＯＮＵに接続された外部ノードとの間でも通信条件が確立されると、外部ノードはＯＮＵを介してＯＬＴとの間で通信可能状態となる。しかしながら、ＯＮＵに接続された外部ノードが正常に動作して正常な信号を出力しているか否かを確認する手段がこれまでなかったため、外部ノードが正常に動作していない場合でも、これを検知して適切な処置を行うといったことができなかった。そのため、正常に動作していない外部ノードからの上り信号も、そのまま終端処理して伝送してしまうといった問題があった。
【０００８】
そこで、本発明はこのような問題を解決するためになされたものであり、接続された外部ノードが正常な信号を出力しているか否かを判定することで、正常に動作していない外部ノードを検出することが可能な加入者宅側光回線終端装置及び光伝送システムを提供することを目的とする。
【課題を解決するための手段】
【０００９】
本発明の加入者宅側光回線終端装置の第１の態様は、センタ側光回線終端装置から入力した下り信号を終端処理して外部ノードに出力するとともに、前記外部ノードから入力した上り信号を終端処理して前記センタ側光回線終端装置に出力する加入者宅側光回線終端装置であって、前記センタ側光回線終端装置に接続されて光電気変換及び逆光電気変換を行う電気／光変換部と、前記電気／光変換部に接続されて前記終端処理を行う光回線終端装置機能部と、前記光回線終端装置機能部に接続されてシリアル・パラレル変換及び逆シリアル・パラレル変換を行うシリアル／パラレル変換部と、前記シリアル／パラレル変換部に接続されて前記外部ノードとの接続端を有するインタフェースモジュールと、前記インタフェースモジュールから前記シリアル／パラレル変換部に入力される前記上り信号を入力して該上り信号が所定の正常信号条件を満たしているか否かを判定する上り信号判定手段と、を備え、前記光回線終端装置機能部は、前記上り信号判定手段から前記正常信号条件の判定結果を入力して前記上り信号に多重化する多重化手段を有し、前記電気／光変換部は、前記多重化手段で前記判定結果が多重化された前記上り信号を光信号に変換して前記センタ側光回線終端装置に送信することを特徴とする。
【００１２】
本発明の加入者宅側光回線終端装置の他の態様は、前記上り信号判定手段は、前記シリアル／パラレル変換部または前記光回線終端装置機能部に設けられていることを特徴とする。
【００１３】
本発明の加入者宅側光回線終端装置の他の態様は、前記上り信号判定手段は、前記上り信号の電圧が所定の閾値以上のときに前記正常信号条件を満たすと判定し、それ以外を満たしていないと判定することを特徴とする。
【００１４】
本発明の加入者宅側光回線終端装置の他の態様は、前記上り信号判定手段は、前記上り信号に含まれる制御信号のビットパターンが所定の符号化則に一致するときに前記正常信号条件を満たすと判定し、それ以外を満たしていないと判定する
ことを特徴とする。
【００１５】
本発明の加入者宅側光回線終端装置の他の態様は、前記上り信号判定手段は、前記制御信号が一定の周期のパルス信号からなる所定のビットパターンに一致するとき前記パルス信号間を埋めるように一定の連続信号に変換し、前記連続信号が所定の符号化則に一致するか否かを判定することを特徴とする。
【００１６】
本発明の加入者宅側光回線終端装置の他の態様は、前記上り信号判定手段は、前記上り信号のクロックが所定の速度に一致するときに前記正常信号条件を満たすと判定し、それ以外を満たしていないと判定することを特徴とする。
【００１７】
本発明の加入者宅側光回線終端装置の他の態様は、前記上り信号判定手段は、前記センタとの間でＰＯＮリンクあるいは認証のいずれかが確立したことを前記光回線終端装置機能部で判定された後に実行されることを特徴とする。
【００１８】
本発明の光伝送システムの第１の態様は、第１の態様乃至第７の態様のいずれか１つの加入者宅側光回線終端装置と、１つの合波端と２以上の分波端を有して前記加入者宅側光回線終端装置を光ファイバを介して前記分波端に接続する光カプラと、前記光カプラの合波端に別の光ファイバを介して接続されるセンタ側光回線終端装置と、を備えることを特徴とする。
【００１９】
本発明の光伝送システムの他の態様は、前記センタ側光回線終端装置は、前記加入者宅側光回線終端装置に対し前記上り信号判定手段の実行を要求する外部ノード診断手段を有していることを特徴とする。
【発明の効果】
【００２０】
本発明によれば、加入者宅側光回線終端装置に接続された外部ノードが正常な信号を出力しているか否かを判定することで、正常に動作していない外部ノードを検出することが可能となる。
【発明を実施するための最良の形態】
【００２１】
（第１の実施形態）
図面を参照して本発明の好ましい実施の形態における加入者宅側光回線終端装置及び光伝送システムの構成について詳細に説明する。本発明の第１の実施の形態に係る加入者宅側光回線終端装置（ＯＮＵ）及び光伝送システムの概略の構成を示すブロック図を、それぞれ図１及び図２に示す。図１に示す本実施形態のＯＮＵ１００は、図２に示す本実施形態のＰＯＮ型光伝送システム１に用いられる装置である。
【００２２】
図２のＰＯＮ型光伝送システム１において、センタに設けられるＰＯＮインタフェースカード１０は、光回線終端装置（ＯＬＴ）１１と認証機能部１２とを有しており、ＯＬＴ１１の光入出力端に光伝送路である光ファイバ２０の一端が接続されている。また、光カプラ（光合分波部）３０は、１つの合波端と２つ以上の分波端とを有しており、合波端にはＯＬＴ１１に接続された光ファイバ２０の他端が接続されている。
【００２３】
光カプラ３０の分波端には、複数の光ファイバ４０−１、…、４０−ｎ（ｎ：自然数、以下では４０−１〜ｎと記す）のそれぞれの一端が接続され、それぞれの他端にはＯＮＵ５０−１〜ｎが接続されている。このような構成により、ＯＬＴ１１からの下り信号が光カプラ３０で分波されてＯＮＵ５０−１〜ｎのそれぞれに伝送される一方、ＯＮＵ５０−１〜ｎのそれぞれから伝送される光信号が光カプラ３０で合波されてＯＬＴ１１に伝送される。
【００２４】
ＯＮＵ５０−１〜ｎは、それぞれが加入者宅毎に設置され、これにパーソナルコンピュータやスイッチ等の外部ノード７０が接続される。図２では、外部ノード７０をスイッチとしており、スイッチに備えられた複数のポート７０ａには複数の端末機器８０が接続されている。外部ノード７０に用いられるスイッチには、Ｌ２スイッチ、Ｌ３スイッチ、ルータ等がある。このような構成により、ＯＮＵ１００を介してセンタのＯＬＴ１１に複数の端末機器８０を接続することができる。
【００２５】
ＯＬＴ１１及びＯＮＵ５０−１〜ｎには、ＧＰＯＮ(Gigabit Passive Optical Networkの略称であり、ＩＴＵ規格G.984.xに準拠した方式)、ＧＥＰＯＮ(Gigabit Ethernet（登録商標） PONの略であり、ＩＥＥＥ８０２．３ａｈ規格に準拠した方式)の規定に適合した装置が使用される。
【００２６】
本実施形態のＯＮＵ１００は、図２に示したＯＮＵ５０−１〜ｎに用いることができる。以下では、一例としてＯＮＵ５０−１にＯＮＵ１００が用いられているものとする。本実施形態のＯＮＵ１００は、図１に示すように、電気／光変換部１１０と光回線終端装置機能部（以下ではＯＮＵ機能部と記す）１２０とシリアル／パラレル変換部１３０とインタフェースモジュール１４０とを備えている。
【００２７】
電気／光変換部１１０とＯＮＵ機能部１２０との間は、シリアルな電気信号を伝送する第１のシリアル伝送路１５０ａ（下り信号線）、１５０ｂ（上り信号線）で接続されている。また、ＯＮＵ機能部１２０とシリアル／パラレル変換部１３０との間は、パラレルな電気信号を伝送するパラレル伝送路１６０ａ（下り信号線）、１６０ｂ（上り信号線）で接続されている。パラレル伝送路１６０ａ、１６０ｂを伝送するパラレル信号は、例えば１０ビットの信号とすることができる。さらに、シリアル／パラレル変換部１３０とインタフェースモジュール１４０との間は、シリアルな電気信号を伝送する第２のシリアル伝送路１７０ａ（下り信号線）、１７０ｂ（上り信号線）で接続されている。
【００２８】
電気／光変換部１１０は、センタ側のＯＬＴ１１との間で光ファイバ４０を介して光信号を送受信するための光入出力端を有しており、センタのＯＬＴ１１から送信された光信号（下り信号）を電気信号に変換（光電気変換）している。この電気信号は、下り信号線である第１のシリアル伝送路１５０ａを介してＯＮＵ機能部１２０に出力される。また、ＯＮＵ機能部１２０から上り信号線である第１のシリアル伝送路１５０ｂを介して入力した電気信号を光信号に変換（逆光電気変換）している。この光信号は、光ファイバ４０を介してＯＬＴ１１に送信される。
【００２９】
ＯＮＵ機能部１２０は、電気／光変換部１１０から入力したシリアル信号をパラレル信号に変換し、所定の終端処理を行った後にこの信号を下り信号線であるパラレル伝送路１６０ａを介してシリアル／パラレル変換部１３０に出力している。また、シリアル／パラレル変換部１３０から上り信号線であるパラレル伝送路１６０ｂを介して入力したパラレル信号を、所定の終端処理を行った後にシリアル信号に変換して電気／光変換部１１０に出力している。
【００３０】
シリアル／パラレル変換部１３０は、図示しないシリアル／パラレル変換手段と逆シリアル／パラレル変換手段を備え、ＯＮＵ機能部１２０から入力したパラレル信号を逆シリアル／パラレル変換手段でシリアル信号に変換し、これを下り信号線である第２のシリアル伝送路１７０ａを介してインタフェースモジュール１４０に出力している。また、インタフェースモジュール１４０から第２のシリアル伝送路１７０ｂを介して入力したシリアル信号をシリアル／パラレル変換手段でパラレル信号に変換してＯＮＵ機能部１２０に出力している。
【００３１】
さらに、インタフェースモジュール１４０は、外部ノード７０とシリアルな電気信号で接続するものである。本実施形態のＯＮＵ１００では、インタフェースモジュール１４０をＭＳＡ（Multi-Source Agreement）インタフェースの規格に対応させており、外部ノード７０に設けられたＭＳＡインタフェーススロット（図示せず）に直接接続することが可能な構成としている。ＭＳＡインタフェースの規格として、ＧＢＩＣ、ＳＦＰ等がある。
【００３２】
上記のように構成された本実施形態のＯＮＵ１００は、ＯＬＴ１１及び外部ノード７０との間で通信可能状態とするための処理機能を有している。この通信可能とするための処理機能はＯＮＵ機能部１２０に設けられており、ＯＮＵ機能部１２０に第１ＭＡＣ部１２１、第２ＭＡＣ部１２２の２つのＭＡＣ部と、管理用インタフェース１２３と、多重化手段１２４とが備えられている。第１ＭＡＣ部１２１及び第２ＭＡＣ部１２２は、ＩＥＥＥ８０２．３ａｈ準拠の媒体アクセス制御（ＭＡＣ：Media Access Control）を行っている。第１ＭＡＣ部１２１は、センタのＯＬＴ１１との通信に係るＭＡＣ処理を行っており、第２ＭＡＣ１２２部は、外部ノード７０との通信に係るＭＡＣ処理を行っている。
【００３３】
第１ＭＡＣ部１２１に接続された管理用インタフェース１２３は、第１ＭＡＣ部１２１を介してＯＬＴ１１との間で通信確立のための所定の手順を行い、所定の通信条件の成立を確認すると、ＯＬＴ１１との間で通信可能状態とするための処理を行う。通信条件の一つとして、ＯＬＴ１１から送信される所定の光信号を確認し（光ＳＤの確認）、ＯＬＴ１１との間で所定の信号交換を行って所定の条件が満たされていることを確認する。これが確認されると、ＯＬＴ１１との間でＰＯＮリンクが確立された状態となる。ＰＯＮリンクの確立は、ＯＳＩ(Open Systems Interconnection)参照モデルにおける第２層のリンク確立に相当する。
【００３４】
さらに、上記のＰＯＮリンクが確立された後、センタ側に設けられた認証機能部１２がＯＮＵ１００にアクセスして認証モードのデータを取得し、これをもとにＯＮＵ１００を識別して認証を行う。認証モードとして、ＭＡＣアドレス認証モード、自動認証モード等がある。ＯＬＴ１１とＯＮＵ１００との間で通信可能状態となるのに要求される通信条件として、上記のＰＯＮリンクが確立されるか、あるいは認証が確立されるかのいずれかとすることができる。
【００３５】
第２ＭＡＣ部１２２は、例えば１０Ｍｂｐｓ、１００Ｍｂｐｓ及び１Ｇｂｐｓイーサネット（登録商標）のＭＡＣ機能を有し、パラレルインタフェースとして１０ビットインタフェース（ＴＢＩ）部（図示せず）を有する構成とすることができる。ＴＢＩ部は、１０本の下り信号線１６０ａと１０本の上り信号線１６０ｂを介してシリアル／パラレル変換部１３０に接続される。
【００３６】
上記のように、ＰＯＮリンクが確立されるかあるいは認証が確立されることにより、ＯＮＵ１００とＯＬＴ１１との間で通信条件が成立すると、ＯＮＵ１００に接続されている外部ノード７０に通信許可を通知する信号が出力される。これにより、外部ノード７０がＯＮＵ１００を介してセンタ側のＯＬＴ１１との間で通信可能状態となり、外部ノード７０からＯＬＴ１１に信号を送信することができるようになる。
【００３７】
しかし、従来のＯＮＵでは外部ノードから出力される信号が正常なものかどうかを確認することができなかったため、外部ノードから異常な信号が出力されていても、従来はそのまま終端処理してセンタ側に送信していた。また、センタ側でも外部ノードから伝送される信号が正常なものか否かを知ることができなかった。
【００３８】
これに対し本実施形態のＯＮＵ１００では、外部ノード７０から出力される信号（以下では上り信号Ａと呼ぶ）が正常なものか（正常信号条件を満たしているか）否かを診断できるようにするために、上り信号判定手段１８０と多重化手段１２４とをさらに備えるように構成されている。上り信号判定手段１８０は、外部ノード７０からインタフェースモジュール１４０を介してＯＮＵ１００に入力された上り信号Ａを所定の判定基準に基づいて診断する機能を有しており、多重化手段１２４は、上り信号判定手段１８０で上り信号Ａが異常と判定されたときにこれをＯＬＴ１１に通知するための機能を有している。あるいは、上り信号Ａが正常または異常と判定されたいずれの場合でも、判定結果をＯＬＴ１１に通知するようにしてもよい。
【００３９】
本実施形態では、外部ノード７０からインタフェースモジュール１４０を介してシリアル／パラレル変換部１３０に入力されたときの上り信号Ａを診断するために、上り信号判定手段１８０をシリアル／パラレル変換部１３０内に設ける構成としている。また、多重化手段１２４をＯＮＵ機能部１２０内に設けており、ＯＮＵ機能部１２０で終端処理されるときの上り信号（以下では上り信号Ｂと呼ぶ）の所定のチャンネル（例えば保守用チャンネル）に、上り信号判定手段１８０で判定された結果を多重化させることができる。
【００４０】
上り信号判定手段１８０は、これを常時実行させる、あるいは所定の周期ごとに実行させるように構成することができる。あるいは、所定の要求信号を受けて実行させるようにすることも可能である。一例として、ＯＬＴ１１から送信される下り信号の所定のチャンネルから要求信号を読み出し、この要求信号がオンのときに上り信号判定手段１８０を実行させるようにすることができる。
【００４１】
上り信号判定手段１８０による判定結果が多重化手段１２４で多重化された上り信号Ｂは、ＯＮＵ機能部１２０から電気／光変換部１１０に出力され、ここで光信号に変換されてＯＬＴ１１に送信される。ＯＬＴ１１は、入力した上り信号Ｂの所定のチャンネルから上り信号判定手段１８０による判定結果を読み出し、これから外部ノード７０が正常な信号を出力しているか否かを知ることができる。このように、センタ側で外部ノード７０の異常を検知することが可能となることで、例えば異常信号を出力しているＯＮＵ１００を通信不可の状態にする等、適切な処置を速やかにとることができるようになる。
【００４２】
また、本実施形態のＯＮＵ１００を用いた場合には、光伝送システム１に接続されている複数の外部ノード７０に対する診断を、センタ側から適宜要求できるようにすることも可能となる。センタ側からＯＮＵ１００に接続された外部ノード７０の診断を要求可能に構成された本発明の光伝送システムの一実施形態を、図３に示す。
【００４３】
図３に示す実施形態の光伝送システム２では、ＰＯＮインタフェースカード１０に外部ノード診断手段１３を設け、センタ側で外部ノード診断手段１３を実行すると、上り信号判定手段１８０の実行を要求する診断要求信号がＯＬＴ１１に出力され、ＯＬＴ１１で診断要求信号が下り信号の所定のチャンネルに多重化されてＯＮＵ１００に伝送されるようにすることができる。ＯＮＵ１００では、ＯＬＴ１１から送信される下り信号の所定のチャンネルから診断要求信号を読み出し、この要求信号がオンのときに上り信号判定手段１８０を実行させるようにする。
【００４４】
次に、本実施形態の上り信号判定手段１８０において、上り信号Ａが正常信号条件を満たしているか否かを判定する方法を以下に説明する。第１の方法として、上り信号判定手段１８０において、インタフェースモジュール１４０から入力した上り信号Ａの電圧を診断する方法がある。上り信号Ａの電圧として、例えば上り信号Ａの振幅が含まれる。上り信号Ａは、図４に示すように、所定の周期で「０」または「１」に相当する信号が出力されている。上り信号Ａの電圧を診断する方法では、「１」に相当する信号の電圧を診断する必要があることから、ある一定の期間にわたって上り信号Ａの電圧を診断することで、「１」に相当する信号の電圧を診断できるようにする必要がある。
【００４５】
一例として、上り信号Ａが８Ｂ１０Ｂ方式で生成されている場合には、１０ビットに相当する期間の上り信号Ａの電圧を診断すればよい。８Ｂ１０Ｂ方式で生成された信号は、１０ビットの信号内に「１」となるビットが複数回含まれている。
【００４６】
上記の一定期間にわたって、上り信号Ａの電圧が所定の閾値（閾値Ｌとする）以上かを診断することにより、図４に示すように、少なくとも１回以上「１」に相当する信号の電圧を閾値Ｌと比較することができる。その結果、閾値Ｌ以上となる信号が検出されれば上り信号Ａは正常信号条件を満たしていると判定される。これに対し、一定期間に一度も閾値Ｌ以上となる信号が検出されない場合には、上り信号Ａは正常信号条件を満たしていないと判定される。このような上り信号Ａの電圧に基づく判定を、以下ではＬＯＳ（Loss of  Signal）判定と呼ぶこととする。
【００４７】
上り信号判定手段１８０において、上り信号Ａが正常信号条件を満たしているか否かを判定する第２の方法を以下に説明する。外部ノード７０から出力される上り信号Ａは、所定の符号化則に従って所定のビット数からなるビット列を１つの単位として生成されている。また、上り信号Ａに含まれる所定の制御信号には、同じビットパターンで所定回数繰り返す信号が含まれている。そこで、上り信号Ａを判定する第２の方法では、上り信号判定手段１８０で上記の制御信号における繰り返しパターンを検出し、この繰り返しパターンが所定の符号化則に一致しているときを上り信号Ａが正常信号条件を満たしていると判定し、それ以外の場合は正常信号条件を満たしていないと判定する。以下では、このような判定をＣＯＭＭＡ判定と呼ぶこととする。
【００４８】
ＣＯＭＭＡ判定に用いる制御信号は、パルス信号がある一定の周期で繰り返すビットパターンとなっていることから、パルス信号間を埋めるように一定の連続信号に変換することができる。パルス信号間を埋めて一定の連続信号に変換した一実施例を図５に示す。図５に示すような連続信号Ｃを用いてＣＯＭＭＡ判定を行わせるようにすることで、上り信号判定手段１８０における処理を容易にすることができる。
【００４９】
上り信号判定手段１８０において、上り信号Ａが正常信号条件を満たしているか否かを判定する第３の方法を以下に説明する。外部ノード７０から出力される上り信号Ａには、伝送速度であるクロック情報が含まれている。そこで、上り信号Ａを判定する第３の方法では、上り信号Ａからクロック情報を読み出し、これがＯＮＵ１００内に設定されているクロック（たとえば１．２５Ｇｂｐｓ）と一致しているかを判定する。このような判定を、以下ではｓｙｎｃ判定と呼ぶこととする。
【００５０】
上り信号判定手段１８０においてｓｙｎｃ判定を行った結果、上り信号Ａが有するクロックとＯＮＵ１００が有するクロックとが一致していると判定された場合を上り信号Ａが正常信号条件を満たすと判定し、それ以外の場合は正常信号条件を満たしていないと判定する。
【００５１】
本発明の加入者側光回線終端装置の別の実施形態として、上り信号判定手段１８０が上記説明のＬＯＳ判定、ＣＯＭＭＡ判定、及びｓｙｎｃ判定のいずれかが成立するときに正常信号条件を満たすと判定し、それ以外を満たしていないと判定するようにすることもできる。
【００５２】
上記実施形態のＯＮＵ１００では、上り信号判定手段１８０をシリアル／パラレル変換部１３０内に設ける構成としたが、これに限らず、上り信号判定手段１８０をＯＮＵ１００の別の場所に設けることもできる。本発明の加入者宅側光回線終端装置の別の実施形態として、上り信号判定手段１８０をＯＮＵ機能部１２０内に設けたＯＮＵ２００を図６に示す。
【００５３】
本実施形態のＯＮＵ２００では、ＯＮＵ機能部１２０が有するＬＳＩを用いて上り信号判定手段１８０を実行させるようにしている。また、上り信号Ａをシリアル／パラレル変換部１３０からＯＮＵ機能部１２０に入力するようにし、上り信号判定手段１８０がこの上り信号Ａを用いて正常信号条件を判定するように構成することができる。本実施形態のＯＮＵ２００では、上り信号判定手段１８０の判定結果を、同じＯＮＵ機能部１２０内に設けられた多重化手段１２４に直接出力することができる。
【００５４】
本発明の加入者宅側光回線終端装置のさらに別の実施形態として、上り信号判定手段１８０を単体の処理装置３０１に設けたＯＮＵ３００を図７に示す。本実施形態では、上り信号Ａをシリアル／パラレル変換部１３０から処理装置３０１に入力させるようにし、処理装置３０１内に設けられた上り信号判定手段１８０がこの上り信号Ａを用いて正常信号条件を判定するように構成することができる。上り信号判定手段１８０の判定結果は、所定の信号線を介してＯＮＵ機能部１２０内の多重化手段１２４に出力される。
【００５５】
なお、本実施の形態における記述は、本発明に係る加入者宅側光回線終端装置及び光伝送システムの一例を示すものであり、これに限定されるものではない。本実施の形態における加入者宅側光回線終端装置及び光伝送システムの細部構成及び詳細な動作等に関しては、本発明の趣旨を逸脱しない範囲で適宜変更可能である。
【図面の簡単な説明】
【００５６】
【図１】本発明の第１の実施形態に係る加入者宅側光回線終端装置の概略構成を示すブロック図である。
【図２】本発明の実施形態に係る光伝送システムの一例を示す構成図である。
【図３】本発明の別の実施形態に係る光伝送システムの一例を示す構成図である。
【図４】上り信号の電圧の変化の一実施例を示す模式図である。
【図５】制御信号のパルス信号間を埋めて一定の連続信号に変換した一実施例を示す模式図である。
【図６】本発明の加入者宅側光回線終端装置の別の実施形態の概略構成を示すブロック図である。
【図７】本発明の加入者宅側光回線終端装置のさらに別の実施形態の概略構成を示すブロック図である。
【図８】従来の光伝送システムを示す構成図である。
【図９】従来の光伝送システムの加入者宅側光回線終端装置の概略構成を示すブロック図である。
【符号の説明】
【００５７】
１、２    光伝送システム
１０      ＰＯＮインタフェースカード
１１、９０１    ＯＬＴ
１２      認証機能部
１３      外部ノード診断手段
２０、４０、９０２、９０４    光ファイバ
３０、９０３    光カプラ
５０      ＯＮＵ
７０      外部ノード
８０、９１４    端末機器
１００、２００、３００、９０５    加入者宅側光回線終端装置
１１０    電気／光変換部
１２０，９０７    ＯＮＵ機能部
１２１    第１ＭＡＣ部
１２２    第２ＭＡＣ部
１２３    管理用インタフェース
１２４    多重化手段
１３０    シリアル／パラレル変換部
１４０    インタフェースモジュール
１５０ａ、１５０ｂ    第１のシリアル伝送路
１６０ａ、１６０ｂ    パラレル伝送路
１７０ａ、１７０ｂ    第２のシリアル伝送路
１８０    上り信号判定手段
３０１    処理装置
【図１】
0004956447.tif 000002
【図２】
0004956447.tif 000003
【図３】
0004956447.tif 000004
【図４】
0004956447.tif 000005
【図５】
0004956447.tif 000006
【図６】
0004956447.tif 000007
【図７】
0004956447.tif 000008
【図８】
0004956447.tif 000009
【図９】
0004956447.tif 000010